(57)【要約】【課題】各種電子機器の遠隔操作に用いられる表示装置及びこれを用いたリモコン送信機に関し、表示素子の保持が確実で電気的接続の安定したものを提供することを目的とする。【解決手段】表示素子１３が装着されるケース１１の略枠状の保持部１１Ｃに、表示素子１３の電極１３Ａとは直交方向に表示素子１３を付勢する弾性部１５を設けることによって、ケース１１の保持部１１Ｃ内での表示素子１３のガタつきがなくなるため、表示素子１３の確実な保持が可能となり、電気的接続の安定した表示装置及びこれを用いたリモコン送信機を得ることができる。【選択図】図１
2005079807.tif 000002
【特許請求の範囲】
【請求項１】
開口孔外周に略枠状の保持部が形成されたケースと、このケース内に収納された配線基板と、上記ケースの保持部に装着された表示素子と、この表示素子の複数の電極と上記配線基板の複数の導電部を接続する弾性接続体からなり、上記ケースの保持部に上記表示素子を電極とは直交方向へ付勢する弾性部を設けた表示装置。
【請求項２】
ケースの表示素子の電極近傍個所に、配線基板との位置決め部を設けた請求項１記載の表示装置。
【請求項３】
請求項１記載の表示装置のケース内に操作体を収納すると共に、この操作体の操作によってリモコン信号を送信する制御回路を配線基板に形成したリモコン送信機。
【発明の詳細な説明】
【技術分野】
【０００１】
本発明は、テレビやビデオ、エアコン等の各種電子機器の遠隔操作に用いられる表示装置及びこれを用いたリモコン送信機に関するものである。
【背景技術】
【０００２】
近年、テレビやビデオ、エアコン等の各種電子機器の多様化・高機能化が進むなか、これらを遠隔操作するリモコン送信機等の表示装置においても、数字や文字に加え絵柄や模様等を表示素子に表示させ、様々な操作を行えるようにしたものが増えている。
【０００３】
このような従来の表示素子及びこれを用いたリモコン送信機について、図３及び図４を用いて説明する。
【０００４】
図３は従来のリモコン送信機の断面図、図４は同分解斜視図であり、同図において、１は略箱状でポリスチレンやＡＢＳ等の絶縁樹脂製のケースで、底面に開口孔１Ａや複数の貫通孔１Ｂが設けられると共に、開口孔１Ａの外周には略枠状の保持部１Ｃが形成されている。
【０００５】
また、２は紙フェノールやガラス入りエポキシ等の配線基板で、上下面に銅等によって複数の配線パターン（図示せず）が形成されると共に、下面には配線パターンに接続された複数の導電部２Ａが所定間隔で設けられ、この配線基板２がケース１上面を覆うように、ネジ等によってケース１内に装着収納されている。
【０００６】
そして、３は液晶等の表示素子で、上面端部には複数の電極３Ａが所定間隔で形成されると共に、表示素子３の外形よりもやや大きな形状に形成されたケース１の保持部１Ｃ内に、表示面が開口孔１Ａから露出するように装着されている。
【０００７】
なお、この表示素子３の電極３Ａの間隔は、数字や文字だけを表示する表示素子の場合は大体１．５ｍｍ前後となっているが、絵柄や模様等の、所謂キャラクター表示が可能なものは、その分細かな表示が必要となるため、１ｍｍ前後の間隔で多くの本数が形成されている。
【０００８】
また、４は弾性接続体で、シリコンゴム等にカーボン等を分散した導電層４Ａと、シリコンゴム等の絶縁層４Ｂが所定間隔で横方向に積層されて形成されると共に、この弾性接続体４が上下方向にやや撓んだ状態で配線基板２と表示素子３の間に装着され、導電層４Ａの上下端が導電部２Ａと電極３Ａに弾接することで、複数の導電部２Ａと電極３Ａが電気的に接続されて、表示装置が構成されている。
【０００９】
さらに、５はケース１内に収納されたシリコンゴムやエラストマー等の操作体で、上面にはカーボン等の複数の可動接点５Ａが形成されると共に、下面にはドーム状の複数の押圧部５Ｂが形成され、この押圧部５Ｂがケース１の貫通孔１Ｂから下方へ突出している。
【００１０】
そして、配線基板２下面には、操作体５の可動接点５Ａと所定の間隙を空けて対向する複数の固定接点（図示せず）が形成されると共に、発光ダイオード６Ａやマイコン（図示せず）等の電子部品が実装され、リモコン信号を送信する制御回路６が形成されて、リモコン送信機が構成されている。
【００１１】
以上の構成において、このリモコン送信機を電子機器に向け、例えば、電源用や音量切換用等の所定の押圧部５Ｂを押圧操作すると、この個所の可動接点５Ａが固定接点に接触し、これらに対応した赤外線のリモコン信号が制御回路６から電子機器へ送信され、これによって電子機器の電源の入／切や音量の増減等が遠隔操作によって行なわれる。
【００１２】
また、運転や録画等の開始時間や終了時間を設定する場合には、所定の押圧部５Ｂを押圧操作して、表示素子３に時間を表示して設定を行ない、この後、これらの時間をリモコン信号として電子機器へ送信し記憶させることによって、所定の時間になると電子機器の運転や録画等が開始されたり、終了するように構成されているものであった。
【００１３】
なお、この出願の発明に関連する先行技術文献情報としては、例えば、特許文献１が知られている。
【特許文献１】特開平３−１７３１９８号公報
【発明の開示】
【発明が解決しようとする課題】
【００１４】
しかしながら、上記従来の表示装置及びこれを用いたリモコン送信機においては、ケース１の保持部１Ｃ内での表示素子３のガタつきや、ケース１に対する配線基板２の位置ズレ等が生ずるため、絵柄や模様等のキャラクター表示が可能で電極３Ａの間隔が小さな表示素子３を用いた場合、弾性接続体４によって接続される間隔の小さな電極３Ａと導電部２Ａの間に位置ズレが生じ、表示素子３と配線基板２との電気的接続が不安定になるという課題があった。
【００１５】
本発明は、このような従来の課題を解決するものであり、表示素子の保持が確実で電気的接続の安定した表示装置、及びこれを用いたリモコン送信機を提供することを目的とする。
【課題を解決するための手段】
【００１６】
上記目的を達成するために本発明は、以下の構成を有するものである。
【００１７】
本発明の請求項１に記載の発明は、表示素子が装着されるケースの略枠状の保持部に、表示素子の電極とは直交方向に表示素子を付勢する弾性部を設けて表示装置を構成したものであり、弾性部によって表示素子が付勢され、ケースの保持部内での表示素子のガタつきがなくなるため、表示素子の確実な保持が可能となり、電気的接続の安定した表示装置を得ることができるという作用を有する。
【００１８】
請求項２に記載の発明は、請求項１記載の発明において、ケースの表示素子の電極近傍個所に、配線基板との位置決め部を設けたものであり、位置決め部によってケースに対する配線基板の位置ズレを防止できるため、表示素子の電極と配線基板の導電部との正確な位置決めが可能となり、電気的接続をさらに安定したものとすることができるという作用を有する。
【００１９】
請求項３に記載の発明は、請求項１記載の表示装置のケース内に操作体を収納すると共に、この操作体の操作によってリモコン信号を送信する制御回路を配線基板に形成してリモコン送信機を構成したものであり、表示素子の電気的接続が安定したリモコン送信機を実現することができるという作用を有する。
【発明の効果】
【００２０】
以上のように本発明によれば、表示素子の保持が確実で電気的接続の安定した表示装置、及びこれを用いたリモコン送信機を実現することができるという有利な効果が得られる。
【発明を実施するための最良の形態】
【００２１】
以下、本発明の実施の形態について、図１及び図２を用いて説明する。
【００２２】
なお、背景技術の項で説明した構成と同一構成の部分には同一符号を付して、詳細な説明を簡略化する。
【００２３】
（実施の形態）
図１は本発明の一実施の形態による表示装置及びこれを用いたリモコン送信機の断面図、図２は同分解斜視図であり、同図において、１１は略箱状でポリスチレンやＡＢＳ等の絶縁樹脂製のケースで、底面に開口孔１１Ａや複数の貫通孔１１Ｂが設けられると共に、開口孔１１Ａの外周には略枠状の保持部１１Ｃが形成されている。
【００２４】
そして、この保持部１１Ｃの左側面には、下方に長孔が形成され中央部が内方へ突出する薄肉状の弾性部１５が設けられると共に、保持部１１Ｃの右上方には、上方へ突出する円柱状の位置決め部１６が設けられている。
【００２５】
また、１２は紙フェノールやガラス入りエポキシ等の配線基板で、上下面に銅等によって複数の配線パターン（図示せず）が形成されると共に、下面には配線パターンに接続された複数の導電部１２Ａが所定間隔で設けられている。
【００２６】
そして、この配線基板１２右上方に設けられた位置決め孔１２Ｂに、ケース１１の位置決め部１６が挿入されて、ケース１１に対する配線基板１２の位置決めが行なわれ、配線基板１２がケース１１上面を覆うように、ネジ等によってケース１１内に装着収納されている。
【００２７】
また、１３は液晶等の表示素子で、上面端部には複数の電極１３Ａが所定間隔で形成されると共に、ケース１１の保持部１１Ｃ内に、表示面が開口孔１１Ａから露出するように装着されている。
【００２８】
なお、保持部１１Ｃの左側面には中央部が内方へ突出した弾性部１５が設けられているため、表示素子１３が保持部１１Ｃ内に装着された状態では、この薄肉状の弾性部１５が左方へやや撓んだ状態となって表示素子１３の左側面に弾接し、これによって表示素子１３は保持部１１Ｃの右内側面に押圧され、電極１３Ａとは直交方向へ付勢された状態となって、保持部１１Ｃ内に装着されている。
【００２９】
また、４は弾性接続体で、シリコンゴム等にカーボン等を分散した導電層４Ａと、シリコンゴム等の絶縁層４Ｂが所定間隔で横方向に積層されて形成されると共に、この弾性接続体４が上下方向にやや撓んだ状態で配線基板１２と表示素子１３の間に装着され、導電層４Ａの上下端が導電部１２Ａと電極１３Ａに弾接することで、複数の導電部１２Ａと電極１３Ａが電気的に接続されている。
【００３０】
なお、上述したように、配線基板１２はケース１１に対し、表示素子１３の電極１３Ａ近傍の、保持部１１Ｃ右上方に設けられた位置決め部１６に位置決め孔１２Ｂが挿入され、位置決めされて取付けられていると共に、表示素子１３はケース１１に対し、弾性部１５によって保持部１１Ｃの右内側面に付勢されて装着されている。
【００３１】
つまり、表示素子１３はケース１１に対してガタつきがなく、配線基板１２はケース１１に対して位置ズレ等がないように、各々位置決めされて装着され、絵柄や模様等のキャラクター表示が可能で電極１３Ａの間隔が小さな表示素子１３と、導電部１２Ａの間隔が小さな配線基板１２を用いた場合でも、電極１３Ａと導電部１２Ａの間に位置ズレがなく、安定した電気的接続が得られるようにして、表示装置が構成されている。
【００３２】
そして、５はケース１１内に収納されたシリコンゴムやエラストマー等の操作体で、上面にはカーボン等の複数の可動接点５Ａが形成されると共に、下面にはドーム状の複数の押圧部５Ｂが形成され、この押圧部５Ｂがケース１１の貫通孔１１Ｂから下方へ突出している。
【００３３】
さらに、配線基板１２下面には、操作体５の可動接点５Ａと所定の間隔を空けて対向する複数の固定接点（図示せず）が形成されると共に、発光ダイオード６Ａやマイコン（図示せず）等の電子部品が実装され、リモコン信号を送信する制御回路６が形成されて、リモコン送信機が構成されている。
【００３４】
以上の構成において、このリモコン送信機を電子機器に向け、例えば、電源用や音量切換用等の所定の押圧部５Ｂを押圧操作すると、この個所の可動接点５Ａが固定接点に接触し、これらに対応した赤外線のリモコン信号が制御回路６から電子機器へ送信され、これによって電子機器の電源の入／切や音量の増減等が遠隔操作によって行なわれる。
【００３５】
また、運転や録画等の開始時間や終了時間を設定する場合には、所定の押圧部５Ｂを押圧操作して、表示素子１３に時間を表示して設定を行ない、この後、これらの時間をリモコン信号として電子機器へ送信し記憶させることによって、所定の時間になると電子機器の運転や録画等が開始されたり、終了するように構成されている。
【００３６】
このように本実施の形態によれば、表示素子１３が装着されるケース１１の略枠状の保持部１１Ｃに、表示素子１３の電極１３Ａとは直交方向に表示素子１３を付勢する弾性部１５を設けることによって、ケース１１の保持部１１Ｃ内での表示素子１３のガタつきがなくなるため、表示素子１３の確実な保持が可能となり、電気的接続の安定した表示装置及びこれを用いたリモコン送信機を得ることができるものである。
【００３７】
そして、表示素子１３の電極１３Ａ近傍の、保持部１１Ｃ右上方に位置決め部１６を設け、これに配線基板１２の位置決め孔１２Ｂを挿入して、ケース１１と配線基板１２との位置決めを行なうことによって、表示素子１３の電極１３Ａと配線基板１２の導電部１２Ａとの、さらに正確な位置決めを行なうことができる。
【００３８】
なお、以上の説明では、保持部１１Ｃの左側面に薄肉状の弾性部１５を設け、これによって表示素子１３を右方向へ付勢する構成について説明したが、弾性部をゴム等の別部品として設け、これを保持部１１Ｃと表示素子１３の左側面の間に圧入して、表示素子１３を右方向へ付勢する構成としても本発明の実施は可能である。
【産業上の利用可能性】
【００３９】
本発明による表示装置は、表示素子の保持が確実で電気的接続の安定したものが得られ、テレビやビデオ、エアコン等の各種電子機器の遠隔操作に用いられるリモコン送信機等に有用である。
【図面の簡単な説明】
【００４０】
【図１】本発明の一実施の形態による表示装置とリモコン送信機の断面図
【図２】同分解斜視図
【図３】従来のリモコン送信機の断面図
【図４】同分解斜視図
【符号の説明】
【００４１】
４  弾性接続体
４Ａ  導電層
４Ｂ  絶縁層
５  操作体
５Ａ  可動接点
５Ｂ  押圧部
６  制御回路
６Ａ  発光ダイオード
１１  ケース
１１Ａ  開口孔
１１Ｂ  貫通孔
１１Ｃ  保持部
１２  配線基板
１２Ａ  導電部
１２Ｂ  位置決め孔
１３  表示素子
１３Ａ  電極
１５  弾性部
１６  位置決め部
【図１】
2005079807.tif 000003
【図２】
2005079807.tif 000004
【図３】
2005079807.tif 000005
【図４】
2005079807.tif 000006